(57)【要約】【課題】  針床やカムを共通化しても、広範囲なゲージに相当する風合いで編地を編成することができる横編機およびラッチニードルを提供する。【解決手段】  ニードル１で、粗編成用を細編成用に比較して、フック長Ｌ５は１１２〜１５６％、フック高Ｈ２は１３２〜１５０％として、フック２を大きくする。ラッチ長Ｌ４は８８〜９９％として、ラッチ３の長さは粗編成用の方が細編成用よりも短くなるようにする。肩６から針先端までの長さＬ１は、粗編成用の方が細編成用の９７〜９９％として、わずかに短くする。【選択図】  図１
2009068135.tif 000002
【特許請求の範囲】
【請求項１】
歯口を挟んで前後に対向する一対の針床を有し、各針床には一定の配列ピッチで針溝がそれぞれ形成され、各針溝には編針として、配列ピッチに対応する針溝ゲージよりも主として粗いゲージ側の風合いとなる編地を編成可能な粗編成用ラッチニードル、または針溝ゲージよりも主として細かいゲージ側の風合いとなる編地を編成可能な細編成用ラッチニードルを収容可能であり、いずれのラッチニードルも、針床に沿って往復走行するキャリッジに搭載されるカムで共通に駆動される編目形成および目移しの動作で、広範囲なゲージに対応する風合いでの編成が可能な横編機であって、
粗編成用ラッチニードルの先端側の部位での寸法は、細編成用ラッチニードルで対応する部位の寸法に対する割合として、
針幹の肩から針先端までの長さが９７〜９９％、
フックの高さが１３２〜１５０％、
ラッチ長が８８〜９９％、
フック長が１１２〜１５６％、
となることを特徴とする横編機。
【請求項２】
前記針床には、７ゲージに相当する配列ピッチで針溝が設けられ、
前記粗編成用ラッチニードルは、３．５〜８ゲージの風合いとなる編地を編成可能であり、
前記細編成用ラッチニードルは、５．５〜９ゲージの風合いとなる編地を編成可能であることを特徴とする請求項１記載の横編機。
【請求項３】
前記針床には、１２ゲージに相当する配列ピッチで針溝が設けられ、
前記粗編成用ラッチニードルは、６〜１２ゲージの風合いとなる編地を編成可能であり、
前記細編成用ラッチニードルは、９．５〜１４ゲージの風合いとなる編地を編成可能であることを特徴とする請求項１記載の横編機。
【請求項４】
前記針床には、１４ゲージに相当する配列ピッチで針溝が設けられ、
前記粗編成用ラッチニードルは、６．５〜１０．５ゲージの風合いとなる編地を編成可能であり、
前記細編成用ラッチニードルは、１０〜１５ゲージの風合いとなる編地を編成可能であることを特徴とする請求項１記載の横編機。
【請求項５】
請求項１から請求項４までのいずれかに記載の横編機で、前記粗編成用ラッチニードルまたは前記細編成用ラッチニードルのうちの一方として使用可能であることを特徴とするラッチニードル。
【発明の詳細な説明】
【技術分野】
【０００１】
本発明は、針床に設けられる針溝の配列ピッチに相当するゲージばかりではなく、粗い側および細かい側の広範囲なゲージに対応する風合いで編地を編成可能な横編機およびラッチニードルに関する。
【背景技術】
【０００２】
従来から、横編機、特に一対の針床が歯口を挟んで前後に対向するＶベッド横編機では、各針床に一定のピッチで配列される編針を駆動して、表目と裏目とを含む種々の組織柄で多様な編地を編成することができる。ただし、編糸の太さや編目の大きさなどで総合される編地の風合いは、編針の配列ピッチに対応して定まる。横編機では、編針の配列ピッチを、２５．４ｃｍ（１インチ）当りの編針数であるゲージで表すようにしている。したがって、横編機で編成される編地は、そのゲージ特有の風合いを有していることになる。
【０００３】
横編機のゲージは、針床で針溝が配列される針溝ピッチで機械的に定まる。針床を交換して針溝ピッチを変えれば、風合いの異なる編地を編成することができる（たとえば、特許文献１参照。）。
【０００４】
本件出願人である株式会社島精機製作所は、コンピュータ横編機としての標準的な製品系列内で、針床やキャリッジに搭載するカムを交換してゲージを変えるゲージコンバージョンを可能にしている。また、同一の針床で異なるフックの大きさの編針を交換して、広範囲なゲージに対応する風合いで編地を編成可能な横編機も製造販売している。以下、このような、同一の針床での編針の交換によって広範囲なゲージに対応する風合いで編地江お編成可能とすることを、「広範囲ゲージ風合い対応」と短縮して記載することとする。ただし、従来の広範囲ゲージ風合い対応の横編機では、編針の交換に伴って少なくとも目移し用のカムも交換する必要がある。
【０００５】
針床や編針は交換しないでも、編目ループ長の制御などで、機械的に定まるゲージ付近の範囲で風合いは調整可能である。編糸として伸縮性を有する弾性糸を使用し、糸張力と供給長さとを制御すれば、細かいゲージに相当する風合いの編地を編成することができる（たとえば、特許文献２参照。）。すなわち、７ゲージの横編機で、８ゲージ、１０ゲージ、１２ゲージなど、さらに細かいゲージに相当する風合いの編地を編成することができる。また、編針を１本おきに使用する針抜き編成を行えば、編成に使用する編針のピッチは２倍になり、半分のゲージに相当する粗い編目を形成することができる（たとえば、特許文献３参照。）。
【特許文献１】特開平１１−３１５４５５号公報
【特許文献２】再表２００４／０９４７１２号公報
【特許文献３】再表００／０６３４７５号公報
【発明の開示】
【発明が解決しようとする課題】
【０００６】
特許文献１のように、機械的に針床を交換可能にすることは、横編機としての構成が複雑化し、実用性に疑問がある。特許文献２で開示される技術は、編糸として弾性糸を使用する場合に限られる。特許文献３のような針抜き編成による編地では、その粗いゲージに対応するピッチで配列されている総針で編成された編地に相当する風合いを得ることは困難である。
【０００７】
ゲージコンバージョン可能な横編機でゲージを変えるためには、編針、針床、キャリッジに搭載するカムなど、多くの構成部品を交換する必要があり、煩わしい。広範囲ゲージ風合い対応の横編機では、針床を交換する必要がないので、交換の煩わしさは軽減され、単一の編針を使用する場合よりも広い範囲のゲージに相当する風合いで編地を編成することができる。
【０００８】
しかしながら、従来の広範囲ゲージ風合い対応の横編機で、同一のゲージの針床に使用可能なフックの大きさの範囲には、カムを共通化しようとすると制限が生じる。この制限は、編地として編成可能な風合いの範囲にも反映されてしまう。広範囲のゲージに対応する風合いを得るには、少なくとも目移し用のカムを、フックの大きさに合わせて交換する必要がある。
【０００９】
本発明の目的は、針床やカムを共通化しても、広範囲なゲージに相当する風合いで編地を編成することができる横編機およびラッチニードルを提供することである。
【課題を解決するための手段】
【００１０】
本発明は、歯口を挟んで前後に対向する一対の針床を有し、各針床には一定の配列ピッチで針溝がそれぞれ形成され、各針溝には編針として、配列ピッチに対応する針溝ゲージよりも主として粗いゲージ側の風合いとなる編地を編成可能な粗編成用ラッチニードル、または針溝ゲージよりも主として細かいゲージ側の風合いとなる編地を編成可能な細編成用ラッチニードルを収容可能であり、いずれのラッチニードルも、針床に沿って往復走行するキャリッジに搭載されるカムで共通に駆動される編目形成および目移しの動作で、広範囲なゲージに対応する風合いでの編成が可能な横編機であって、
粗編成用ラッチニードルの先端側の部位での寸法は、細編成用ラッチニードルで対応する部位の寸法に対する割合として、
針幹の肩から針先端までの長さが９７〜９９％、
フックの高さが１３２〜１５０％、
ラッチ長が８８〜９９％、
フック長が１１２〜１５６％、
となることを特徴とする横編機である。
【００１１】
また本発明で、前記針床には、７ゲージに相当する配列ピッチで針溝が設けられ、
前記粗編成用ラッチニードルは、３．５〜８ゲージの風合いとなる編地を編成可能であり、
前記細編成用ラッチニードルは、５．５〜９ゲージの風合いとなる編地を編成可能であることを特徴とする。
【００１２】
また本発明で、前記針床には、１２ゲージに相当する配列ピッチで針溝が設けられ、
前記粗編成用ラッチニードルは、６〜１２ゲージの風合いとなる編地を編成可能であり、
前記細編成用ラッチニードルは、９．５〜１４ゲージの風合いとなる編地を編成可能であることを特徴とする。
【００１３】
また本発明で、前記針床には、１４ゲージに相当する配列ピッチで針溝が設けられ、
前記粗編成用ラッチニードルは、６．５〜１０．５ゲージの風合いとなる編地を編成可能であり、
前記細編成用ラッチニードルは、１０〜１５ゲージの風合いとなる編地を編成可能であることを特徴とする。
【００１４】
さらに本発明は、前述のいずれかの横編機で、前記粗編成用ラッチニードルまたは前記細編成用ラッチニードルのうちの一方として使用可能であることを特徴とするラッチニードルである。
【発明の効果】
【００１５】
本発明によれば、粗編成用ラッチニードルは、フックの高さとフック長との割合を細編成用ラッチニードルよりも大きくして、粗いゲージ側で編成可能な編地の風合いの範囲を広げることができる。細編成用ラッチニードルは、フックが小さくても、ラッチ長と、針幹の肩から針先端までの長さとの割合も大きくするので、針床と編成用や目移し用のカムとを共通化しても、広範囲のゲージに相当する風合いで編地を編成することができる。
【００１６】
また本発明によれば、７ゲージの横編機で、３．５〜９ゲージの風合いとなる編地を編成することができる。
【００１７】
また本発明によれば、１２ゲージの横編機で、６〜１４ゲージの風合いとなる編地を編成することができる。
【００１８】
また本発明によれば、１４ゲージの横編機で、６．５〜１５ゲージの風合いとなる編地を編成することができる。
【００１９】
さらに本発明によれば、針床およびキャリッジに搭載するカムを交換しないで、編針のみの交換で、広い範囲のゲージに相当する風合いで編地を編成することができる。
【発明を実施するための最良の形態】
【００２０】
図１は、本発明の実施の一形態となるラッチニードルの編針としての主要部分となるニードル１の先端部分の構成を示す。図１（ａ）は、ニードル１の先端部分の正面図、図１（ｂ）および図１（ｃ）は、図１（ａ）の切断面線Ｂ−Ｂ，Ｃ−Ｃから見た断面図をそれぞれ示す。ただし、図１（ｃ）は、断面形状を拡大している。
【００２１】
ニードル１の先端にはフック２が設けられ、ラッチ３でフック２を開閉する。ラッチ３は、軸４を中心として揺動変位する。ラッチ３は、実線で示すようなフック２を閉じる状態と、二点鎖線で示すようなフック２を最大限に開く状態との間で、揺動変位が可能である。フック２内に編目のニードルループを係止しているニードル１が図１（ａ）の右方に移動すると、編目のシンカループが可動シンカなどで押えられ、旧ループがステッチプレッサなどで押えられていれば、ニードルループの編糸はニードル１に対して相対的に左方に移動する。ニードル１が右方への移動を続ければ、ニードルループの編糸はラッチ３を開いて針幹５側に移行する。針幹５側には、段差が大きくなる肩６が設けられ、目移し時にニードル１の右方への移動が続いても、ニードルループの編糸は肩６に留まり、ニードル１の基部７側には移行しない。肩６付近には、目移し用の羽根８が設けられる。
【００２２】
広範囲ゲージ風合い対応は、同一のゲージのニードル１として、フック２などの大きさが異なる粗編成用と細編成用とを交換することで実現される。フック２に関連する寸法として、肩６からフック２の右端の針先端までの長さをＬ１とする。開いているラッチ３の先端から針先端までの長さをＬ２とする。軸４の中心から針先端までの長さをＬ３とする。軸４の中心から閉じているラッチ３の先端までのラッチ長をＬ４とする。フック２の開口側先端から針先端までのフック長をＬ５とする。肩６から羽根８の先端までの長さをＬ６とする。フック２およびラッチ３を合わせた高さをラッチ高Ｈ１とする。フック２のみの高さをフック高Ｈ２とする。羽根８を含むニードル１全体の幅をＷとする。ニードル１の基部７の本体厚をＴとする。
【００２３】
ニードル１の各部の寸法は、たとえば、針溝の配列ピッチが７ゲージ、１２ゲージおよび１４ゲージについて、細編成用に対して粗編成用が次のような比率となるように設定される。
【００２４】
【表１】
2009068135.tif 000003
【００２５】
これらの数値は、設計値に基づく。実際に製造されるニードル１では、ある程度の公差が許容される。したがって、少なくとも、フック長Ｌ５は１１２〜１５６％、フック高Ｈ２は１３２〜１５０％となって、フック２の大きさは、粗編成用の方が細編成用よりも大きい。しかしながら、ラッチ長Ｌ４は８８〜９９％となって、ラッチ３の長さは粗編成用の方が細編成用よりも短くなる。また、肩６から針先端までの長さＬ１は、９７〜９９％となって、粗編成用の方が細編成用よりもわずかに短い。
【００２６】
なお、図１（ｃ）に示すフック２での断面形状は、少し扁平な円形で、一つの切欠き面を有する。また、少なくとも実施例のＤ１の値は、粗編成用の方が細編成用よりも大きい。
【００２７】
図２は、図1のニードル１を使用する横編機９の概略的な構成を示す。ニードル１は、横編機９の針床１０に案内されて、図１（ａ）の左右に摺動変位する。横編機９は、針床１０を前後に対をなすように備え、前後の針床１０が対向する歯口１１で編地を編成する。前後の針床１０は、歯口１１の中心線１１ａに対して対称となるように配置される。各針床１０は歯口１１側が高く、歯口１１から離れる側が低くなるような傾斜を有する。このため、中心線１１ａの方向が鉛直方向となるけれども、説明の便宜上、ニードル１が水平に摺動するようにして示す。
【００２８】
針床１０には、一定のピッチでニードルプレート１２が立設される。隣接するニードルプレート１２間の隙間が針溝１３となり、ニードル１を含む編針を収容して、図の左右方向に摺動するように案内する。ニードル１のフック２側には、可動シンカ１４も並設される。可動シンカ１４は、ばね１５による付勢で、編目ループのシンカループを歯口１１の下方に押えることができる。
【００２９】
ニードル１で、歯口１１から離れる背後側の端部には、ニードルジャック１６が配置される。ニードルジャック１６は、編成駆動用バット１６ａと目移し駆動用バット１６ｂとを有する。ニードルジャック１６の背後側には、セレクトジャック１７が配置される。セレクトジャック１７は、バット１７ａを有する。セレクトジャック１７の背後側には、セレクタ１８が配置される。セレクタ１８は、前バット１８ａ、後バット１８ｂおよび選針用バット１８ｃを有する。図２では、選針用バット１８ｃを複数示しているけれども、隣接する編針のセレクタ１８とは異なる位置で設定される一つの選針用バット１８ｃのみが設けられる。ニードル１とニードルジャック１６とは、連結部１９で機械的に連結されている。横編機９の編針としてのラッチニードル２０は、ニードル１、ニードルジャック１６、セレクトジャック１７、およびセレクタ１８を含む。
【００３０】
図３は、図２のラッチニードル２０を選択的に駆動するために用いるキャリッジ３０の一例でのカム配置を示す。このキャリッジ３０には、中心線３０ａの両側で、地板３０ｂ上に、二つのカムシステム３１，３２が設けられる。地板３０ｂでカムシステム３１，３２が配置される表面は、図２の針床１０の表面に対向する。二つのカムシステム３１，３２は同等の構成を有している。各カムシステム３１，３２には、編成用カム３３、目移し用カム３４、および目受け用カム３５が含まれる。編成用カム３３中のニードルレイジングカム３６ａと目移し用カム３４中の渡し受け両用目移しカム３６ｂとは、いずれか一方が地板３０ｂの表面から突出するときには、他方は突出しないように、交互に動作する。
【００３１】
ラッチニードル２０は、セレクトジャック１７のバット１７ａがＡ，Ｈ，Ｂの三つのポジションに分けてプレッサ３７が設けられている位置を通過する。三つのポジションに分ける選針は、選針アクチュエータ３８の選針爪３９でセレクタ１８の選針用バット１８ｃを選択的に押圧して行われる。プレッサ３７でセレクトジャック１７のバット１７ａを押圧すると、ニードルジャック１６の編成駆動用バット１６ａが針溝１３内に沈み、編成用カム３３の作用を受けなくなる。編成駆動用バット１６ａがニードルレイジングカム３６ａの作用を受けるときは、ラッチニードル２０はニットの編成動作を行う。目移し用カム３４側の渡し受け両用目移しカム３６ｂを突出させておくと、目移し用バット１６ｂが駆動されて、目移し動作を行う。歯口１１で対向する針床１０側では、プレッサ３７による選択で編成駆動用バット１６ａが目受け用カム３５の案内を受け、歯口１１に進出している目移し側のラッチニードル２０の羽根８内に進入し、編目ループを受取る。
【００３２】
なお、キャリッジ３０には、同等の二つのカムシステム３１，３２を搭載する例を示しているけれども、カムシステムの数は、単数の場合もあり、また、二以上の複数の場合もある。複数の場合、いずれのカムシステムも同等の構成を有する必要はなく、たとえば、編成専用のカムシステムと目移し専用のカムシステムとを、分けて配置することもできる。
【００３３】
図４は、７ゲージの横編機で、広範囲ゲージ風合い対応を実現する粗編成用のニードル１Ａと細編成用のニードル１Ｂとを、それぞれ示す。粗編成用のフック２Ａは、細編成用のフック２Ｂよりもフック長やフック高が大きくなっている。図４に示す７ゲージの横編機での実施例の表１に対応する寸法を、次の表２に、従来の広範囲ゲージ風合い対応を比較例として、比較して示す。なお、以下に示す各表での寸法の単位は、ｍｍとする。従来よりも、粗編成用でフック２Ａのフック長Ｌ５を大きくし、細編成用でラッチ３Ｂのラッチ長Ｌ４を大きくしていることが判る。実施例ではラッチ３Ｂのラッチ長Ｌ４をラッチ３Ａよりも大きくし、肩から針先端までの長さＬ１は、細編成用の方が粗編成用よりも少し大きくなっている。このような変更の結果、粗編成用のニードル１Ａを使用すると、同一のキャリッジ３０を使用しても、針抜き編成で３．５〜５ゲージ相当の風合い、総針編成で４．５〜８ゲージ相当の風合いで編地を編成することができる。また、細編成用のニードル１Ｂを使用すると、総針編成で５．５〜９ゲージ相当の風合いで編地を編成することができる。
【００３４】
【表２】
2009068135.tif 000004
【００３５】
なお、本実施例で、図１（ｃ）に示すフック２の断面形状は、粗編成用がＤ１＝０．８６、Ｄ２＝０．８であり、細編成用がＤ１＝０．７，Ｄ２＝０．７２である。
【００３６】
図５は、１２ゲージの横編機で、広範囲ゲージ風合い対応を実現する（ａ）の粗編成用のニードル１Ｃと（ｂ）の細編成用のニードル１Ｄとを、それぞれ示す。図４の７Ｇの場合と同様に、粗編成用のフック２Ｃは、細編成用のフック２Ｄよりも大きくなっている。表１に対応する寸法を次の表３に、従来の広範囲ゲージ風合い対応の場合と比較して示す。従来よりも、粗編成用でフック２Ｃのフック長Ｌ５を大きくし、細編成用でラッチ３Ｄのラッチ長Ｌ４を大きくしていることが判る。実施例ではラッチ３Ｄのラッチ長Ｌ４をラッチ３Ｃよりも大きくし、肩から針先端までの長さＬ１は、細編成用の方が粗編成用よりも少し大きくなっている。このような７ゲージと同様の変更で、粗編成用のニードル１Ｃを使用すると、針抜き編成で６〜１０ゲージ相当の風合い、総針編成で８．５〜１２ゲージ相当の風合いで編地を編成することができる。また、細編成用のニードル１Ｄを使用すると、総針編成で９．５〜１４ゲージ相当の風合いで編地を編成することができる。
【００３７】
なお本実施例で、図１（ｃ）のＤ１は、粗編成用で０．６４、細編成用で０．５となり、Ｄ２は粗編成用で０．５４、細編成用で０．４７となる。
【００３８】
【表３】
2009068135.tif 000005
【００３９】
図６は、１４ゲージの横編機で、広範囲ゲージ風合い対応を実現する（ａ）の粗編成用のニードル１Ｅと（ｂ）の細編成用のニードル１Ｆとを、それぞれ示す。図４の７ゲージの場合と同様に、粗編成用のフック２Ｅ、ラッチ３Ｅおよび羽根８Ｅは、細編成用のフック２Ｆ、ラッチ３Ｆおよび羽根８Ｆよりも大きくなっている。表１に対応する寸法を次の表４に、従来の広範囲ゲージ風合い対応の場合と比較して示す。従来よりも、粗編成用でフック２Eのフック長Ｌ５を大きくし、細編成用でラッチ３Fのラッチ長Ｌ４を大きくしていることが判る。実施例ではラッチ３Fのラッチ長Ｌ４をラッチ３Eよりも大きくし、肩から針先端までの長さＬ１は、細編成用の方が粗編成用よりも少し大きくなっている。このような７，１２ゲージと同様の変更で、粗編成用のニードル１Ｅを使用すると、針抜き編成で６．５〜１０．５ゲージ相当の風合い、総針編成で９〜１４ゲージ相当の風合いで編地を編成することができる。また、細編成用のニードル１Ｆを使用すると、総針編成で１０〜１５ゲージ相当の風合いで編地を編成することができる。
【００４０】
【表４】
2009068135.tif 000006
【００４１】
なお本実施例で、図１（ｃ）のＤ１は、粗編成用で０．５４、細編成用で０．４１となり、Ｄ２は粗編成用で０．４５、細編成用で０．４７となる。
【００４２】
表２〜表４に示すように、粗編成用と細編成用とでフック２の大きさ、特にフック高Ｈ２を変更すれば、それに伴ってフック長Ｌ５やラッチ高Ｈ１も当然変化する。比較例として示すように、従来は肩６から針先端までの長さＬ１を変化させないで固定している。肩６は目移し時に編目ループを留める位置であり、編目を渡す側のニードル１では、編目を受ける側のフック２よりも肩６が歯口で高くなるように進出しなければならない。したがって、Ｌ１固定でフック２が大きくなる従来の広範囲ゲージ風合い対応では、少なくとも目移し用のカムは、編目を渡す側のニードル１の歯口への進出量が大きくなるように、交換する必要がある。また、ニットとタックとでフック２に給糸を受ける場合は、フック２に係止されていた編目ループがニットではラッチ３をクリアし、タックではクリアしないように、フック２の大小によって歯口への進出高さやラッチ３のラッチ長Ｌ４を考慮する必要がある。このため、場合によっては、ニードルレイジングカム３６ａ等の編成用のカムの交換も必要になる。
【００４３】
各実施例では、粗編成用と細編成用とで、肩から針先端までの長さＬ１を変更して調整しているので、目移し時の進出量はカムを交換して調製する必要はない。また、ラッチ３の長さであるラッチ長Ｌ４、フック２の大きさであるフック長Ｌ５やフック高Ｈ２も適正にしているため、ニットとタックとでの給糸やクリアも、共通のカムで支障なく対応させることができる。
【図面の簡単な説明】
【００４４】
【図１】本発明の実施の一形態となるラッチニードルの編針としての主要部分となるニードル１の先端部分の正面図、および部分的な断面図である。
【図２】図1のニードル１を使用する横編機９の概略的な構成を示す側面断面図である。
【図３】図２のラッチニードル２０を選択的に駆動するために用いるキャリッジ３０の一例でのカム配置を示す図である。
【図４】７Ｇの横編機で、広範囲ゲージ風合い対応を実現する粗編成用のニードル１Ａと細編成用のニードル１Ｂとを、それぞれ示す正面図である。
【図５】１２Ｇの横編機で、広範囲ゲージ風合い対応を実現する粗編成用のニードル１Ｃと細編成用のニードル１Ｄとを、それぞれ示す正面図である。
【図６】１４Ｇの横編機で、広範囲ゲージ風合い対応を実現する粗編成用のニードル１Ｅと細編成用のニードル１Ｆとを、それぞれ示す正面図である。
【符号の説明】
【００４５】
１，１Ａ，１Ｂ，１Ｃ，１Ｄ，１Ｅ，１Ｆ  ニードル
２，２Ａ，２Ｂ，２Ｃ，２Ｄ，２Ｅ，２Ｆ  フック
３，３Ａ，３Ｂ，３Ｃ，３Ｄ，３Ｅ，３Ｆ  ラッチ
４  軸
６  肩
８，８Ａ，８Ｂ，８Ｃ，８Ｄ，８Ｅ，８Ｅ，８Ｆ  羽根
９  横編機
１０  針床
１１  歯口
２０  ラッチニードル
３０  キャリッジ
【図１】
2009068135.tif 000007
【図２】
2009068135.tif 000008
【図３】
2009068135.tif 000009
【図４】
2009068135.tif 000010
【図５】
2009068135.tif 000011
【図６】
2009068135.tif 000012